(57)【要約】【課題】発送伝票とその発送伝票で配送される商品との関連付けを容易になし得るようにする。【解決手段】発送登録モードが選択されたことを条件に発送伝票の伝票番号入力を受付け、入力された伝票番号を記憶する。商品コードが入力される毎に発送登録モードが選択されているか否かを判断し、選択されていると判断した場合にはその入力された商品コードに基づき処理された商品販売データに伝票番号を対応付けて記憶する。１商取引の締めが宣言されると、商取引データ記憶手段を検索して伝票番号と対応付けられて記憶されている商品販売データを抽出する。そして抽出された伝票番号と対応付けられた商品販売データを保持する。【選択図】      図９
2010218581.tif 000002
【特許請求の範囲】
【請求項１】
商品毎に設定される商品コードを入力するための商品コード入力手段、この商品コード入力手段を介して入力された商品コードに基づいて当該商品コードが設定された商品の販売データを処理する商品販売データ処理手段、１商取引として売買される商品の販売データを記憶する商取引データ記憶手段、１商取引の締めを宣言するための締め宣言手段、及びこの締め宣言手段により１商取引の締めが宣言されると前記商取引データ記憶手段に記憶されている商品販売データに基づいてレシートを印字し発行するレシート発行手段を備えた商品販売データ処理装置において、
商品宅配時に使用される発送伝票の伝票番号を入力するための伝票番号入力手段と、
宅配注文のあった商品を発送処理するための発送登録モードを選択するモード選択手段と、
前記発送登録モードが選択されたことを条件に前記発送伝票の伝票番号入力を受付け、前記伝票番号入力手段を介して入力された伝票番号を記憶する伝票番号記憶手段と、
前記商品コード入力手段を介して商品コードが入力される毎に前記発送登録モードが選択されているか否かを判断し、選択されていると判断した場合にはその入力された商品コードに基づき前記商品販売データ処理手段により処理された商品販売データに前記伝票番号記憶手段に記憶された伝票番号を対応付けて前記商取引データ記憶手段に記憶させる宅配商品販売データ処理手段と、
前記締め宣言手段により１商取引の締めが宣言されたことを条件に前記商取引データ記憶手段を検索して前記伝票番号と対応付けられて記憶されている商品販売データを抽出する宅配商品販売データ抽出手段と、
この宅配商品販売データ抽出手段により抽出された前記伝票番号と対応付けられた商品販売データを保持する宅配商品販売データ保持手段と、
を具備したことを特徴とする商品販売データ処理装置。
【請求項２】
前記宅配商品販売データ保持手段により保持された前記伝票番号と対応付けられた商品販売データをオンライン接続された管理サーバに送信する宅配商品販売データ送信手段、
をさらに具備したことを特徴とする請求項１記載の商品販売データ処理装置。
【請求項３】
前記宅配商品販売データ抽出手段により前記伝票番号と対応付けられた商品販売データが抽出されると、前記レシート発行手段を動作させて、前記伝票番号とそれに対応する商品販売データとが印字された店控えレシートを発行させる店控えレシート発行手段、
をさらに具備したことを特徴とする請求項１または２記載の商品販売データ処理装置。
【請求項４】
前記店控えレシート発行手段は、伝票番号別に分けて店控えレシートを発行させることを特徴とする請求項３記載の商品販売データ処理装置。
【発明の詳細な説明】
【技術分野】
【０００１】
本発明は、ＰＯＳ（Point Of Sales）端末等の商品販売データ処理装置に関わり、特に、顧客が購入した商品の宅配サービスを行っている小売店向けの商品販売データ処理装置に関する。
【背景技術】
【０００２】
近年、スーパーマーケット等の小売店では、お中元やお歳暮の時期になると贈答用商品のサンプル（見本）を売場に陳列し、顧客が購入した商品を指定された住所へ配送する宅配サービスを実施しているところが多い。このような宅配サービスを実施している店では、通常、商品毎にその商品の商品コードや品名等を記入した商品札が用意されており、顧客が購入しようとする商品の商品札を持って専用のレジ（会計場）へ行く運用になっている。
【０００３】
このような運用の店では、レジ担当の店員は、顧客から商品札を受け取ると、宅配業者指定の発送伝票を渡して発送人や受取人の住所，氏名等の必要事項の記入を依頼する。このとき、例えば複数の受取人に配送する場合には、受取人別に発送伝票を記入してもらう。また、商品札に記入された情報を基にＰＯＳ端末または電子式キャッシュレジスタを操作して、当該顧客が購入する商品の販売データを登録処理する。そして、この登録処理により導き出される代金について顧客から支払いを受けたならば、発送伝票の客控え票を顧客に渡し、残りの伝票を商品札とともに商品配送センタへ送っていた。
【０００４】
一方、商品配送センタでは、商品札によって特定される商品を倉庫から用意し、商品に発送伝票を付して宅配業者に宅配を依頼する。これにより、宅配業者の管理の下に顧客が指定した住所へ該当する商品が配送されるものとなっていた。
【０００５】
ところで、発送伝票には伝票毎に固有の伝票番号が付されており、この伝票番号をキーとして荷物の配送履歴を追跡するシステムが多くの宅配業者で導入されている。このシステムを利用することにより、荷物の宅配を依頼した受取人等は、その荷物の配達状況をいつでも確認することができる。
【０００６】
これに対して小売店では、発送伝票の店控え票は手元に残るものの、この店控え票とそれに対応する発送伝票が付された商品とを関連付けるデータが全く無かった。このため、宅配サービスを利用した顧客から伝票番号の通知を受け、その伝票で宅配を依頼した商品の内容等について問合せがあっても、迅速に対応できないのが実情であった。
【０００７】
なお、本発明に関連する先行技術としては、顧客から電話による商品の宅配注文を受けると、その商品を陳列棚から収集すると同時にその商品の商品コードと数量を無線端末に入力してホストへ送信し、ホストは、無線端末より受信したデータから新規注文データを作成し、注文が終了すると、その新規注文データに基づいて伝票を発行するとともに無線端末に合計金額を送信するようにした宅配システム等がある（例えば、特許文献１参照）。
【０００８】
しかし、この種の宅配システムは、宅配業者が指定する発送伝票には対応しておらず、発送伝票とその発送伝票で配送される商品との関連付けはなされていない。
【先行技術文献】
【特許文献】
【０００９】
【特許文献１】特開２００４−１０２８９１号公報
【発明の概要】
【発明が解決しようとする課題】
【００１０】
上述したように、宅配サービスを実施している小売店における現状のシステムでは、発送伝票とその発送伝票で配送される商品との関連付けがなされていなかったので、顧客から宅配を依頼した商品の問合せがあっても迅速に対応することが困難であるという問題があった。
【００１１】
本発明はこのような事情に基づいてなされたもので、その目的とするところは、発送伝票とその発送伝票で配送される商品との関連付けを容易になし得ることができる商品販売データ処理装置を提供しようとするものである。
【課題を解決するための手段】
【００１２】
本発明の商品販売データ処理装置は、商品宅配時に使用される発送伝票の伝票番号を入力するための伝票番号入力手段と、宅配注文のあった商品を発送処理するための発送登録モードを選択するモード選択手段と、発送登録モードが選択されたことを条件に発送伝票の伝票番号入力を受付け、伝票番号入力手段を介して入力された伝票番号を記憶する伝票番号記憶手段と、商品コード入力手段を介して商品コードが入力される毎に発送登録モードが選択されているか否かを判断し、選択されていると判断した場合にはその入力された商品コードに基づき商品販売データ処理手段により処理された商品販売データに伝票番号記憶手段に記憶された伝票番号を対応付けて商取引データ記憶手段に記憶させる宅配商品販売データ処理手段と、締め宣言手段により１商取引の締めが宣言されたことを条件に商取引データ記憶手段を検索して伝票番号と対応付けられて記憶されている商品販売データを抽出する宅配商品販売データ抽出手段と、この宅配商品販売データ抽出手段により抽出された伝票番号と対応付けられた商品販売データを保持する宅配商品販売データ保持手段とを備えたものである。
【発明の効果】
【００１３】
かかる手段を講じた本発明によれば、発送伝票とその発送伝票で配送される商品との関連付けを容易になし得ることができる商品販売データ処理装置を提供できる。
【図面の簡単な説明】
【００１４】
【図１】本発明の一実施の形態における全体概要図。
【図２】図１に示す発送登録データの主要なデータ構造を示す模式図。
【図３】同実施の形態におけるＰＯＳ端末の要部構成を示すブロック図。
【図４】同ＰＯＳ端末のキーボードに配置された主要なキーを示す平面図。
【図５】同ＰＯＳ端末のＲＡＭに形成される主要なメモリエリアを示す模式図。
【図６】同ＰＯＳ端末のＣＰＵが実行する発送キー処理の要部手順を示す流れ図。
【図７】同ＰＯＳ端末のＣＰＵが実行する商品登録処理の要部手順を示す流れ図。
【図８】同ＰＯＳ端末のＣＰＵが実行する締めキー処理の要部手順を示す流れ図。
【図９】図８における発送登録データ処理の手順を具体的に示す流れ図。
【図１０】同ＰＯＳ端末のオペレータ用ディスプレイに表示される発送ダイアログの一例を示す平面図。
【図１１】同ＰＯＳ端末のオペレータ用ディスプレイに表示される発送登録画面の一例を示す平面図。
【図１２】同ＰＯＳ端末によって発行される買上レシートの一印字例を示す平面図。
【図１３】同ＰＯＳ端末によって発行される発送明細レシートの一印字例を示す平面図。
【発明を実施するための形態】
【００１５】
以下、本発明を実施するための最良な形態について図面を用いて説明する。  
なお、この実施の形態は、贈答用商品のサンプル（見本）を売場に陳列するとともに各商品にそれぞれ商品コードや品名等が記入された商品札を用意し、顧客が購入しようとする商品の商品札を持って専用のレジ（会計場）へ行く運用の小売店で使用されるＰＯＳ端末に本発明を適用した場合である。
【００１６】
図１は本実施の形態の概略構成を示す模式図であり、図中１は、商品販売データ処理装置の一態様であるＰＯＳ端末を示している。このＰＯＳ端末１は、贈答用商品２に対応して用意された商品札３のバーコードをスキャニングすることで当該贈答用商品固有の商品コードを入力する商品コード入力手段１１と、宅配業者指定の発送伝票４に印刷されているバーコードをスキャニングすることで当該発送伝票固有の伝票番号を入力する伝票番号入力手段１２と、前記商品コード入力手段１１を介して入力された商品コードで特定される商品の販売データを、前記伝票番号入力手段１２を介して入力された伝票番号で特定される発送伝票と関連付けて登録処理する発送登録手段１３とを備えている。そして、発送登録手段１３により登録処理された発送登録データ５を、通信回線を介してオンライン接続された発送管理サーバ６に送信するように構成されている。なお、商品コード入力手段１１及び伝票番号入力手段１２は、バーコードのスキャニング入力に限定されるものではなく、置数キーや文字キーの操作入力であってもよい。
【００１７】
発送管理サーバ６は、発送ファイル７を設けており、各ＰＯＳ端末１から送られてくる発送登録データ５を発送ファイル７に順次蓄積して記憶管理する。また、インターネット等のネットワークを介してクライアントＰＣ８が接続可能であり、このクライアントＰＣ８によって発送ファイル７で記憶管理されている発送登録データを閲覧できるようになっている。
【００１８】
図２は、発送ファイル７にて記憶管理される発送登録データ５の主要な項目を示している。項目「店舗コード」は、発送登録データ５が登録処理された店舗の店舗コードである。項目「発送伝票問合せ番号」は、発送伝票４の伝票番号である。項目「取引番号」及び「取引日時」は、商取引を特定する番号とその実施日時である。項目「商品コード」，「商品名」，「単価」，「数量」，「金額」は、贈答用商品２の販売データである。項目「宅配業者コード」は、当該贈答用商品２を宅配する宅配業者を特定するコードである。項目「お届け指定日」は、当該贈答用商品２の宅配指定日時である。なお、この宅配日時の指定は任意である。項目「発送フラグ」は当該発送登録データ５に該当する贈答用商品２の発送状況を識別するフラグであり、例えば未発送の状況を“０”とし、発送中の状況を“１”とし、商品の在庫が無いために発注している状況を“２”とし、発送がキャンセルとなった状況を“９”とする。
【００１９】
図３はＰＯＳ端末１のハードウェア構成を示すブロック図であり、このＰＯＳ端末１は、制御部本体としてＣＰＵ（Central Processing Unit）２１を搭載している。また、プログラム等の固定的データが予め格納されたＲＯＭ（Read Only Memory）２２、商品販売データの登録処理等で必要な種々のデータメモリエリアが形成されるＲＡＭ（Random Access Memory）２３、現在の日付及び時刻を計時する時計部２４、通信回線を介して接続される発送管理サーバ６等とのデータ通信を制御する通信コントローラ２５を搭載している。そして前記ＣＰＵ２１と、ＲＯＭ２２，ＲＡＭ２３，時計部２４及び通信コントローラ２５とを、アドレスバス，データバス等のバスライン２６で接続している。
【００２０】
またＰＯＳ端末１は、現金等を収容するためのドロワ２７や、キーボード２８，スキャナ２９，オペレータ用ディスプレイ３０，客用ディスプレイ３１，プリンタ３２等の入出力機器を備えている。ドロワ２７は、Ｉ／Ｏ（Input／Output）ポート３３に接続されており、このＩ／Ｏポート３３から出力される駆動信号に応じて開放動作する構造になっている。
【００２１】
キーボード２８は、図４に示すように、「００」及び「０」〜「９」の置数キー４１，置数データがＰＬＵ（Price Look Up）コードであることを指令するＰＬＵキー４２，置数データが乗数であることを指令する乗算キー４３，１商取引の小計金額出力を指令する小計キー４４，１商取引の締めを宣言する締め宣言手段としての預／現計キー４５，データのクリアを指令するクリアキー４６，直前操作の取消を指令する取消キー４７等に加え、宅配注文のあった商品を処理するための発送登録モードを選択するモード選択手段として発送キー４８を配設したものである。このキーボード２８に対応してキーボードコントローラ３４が設けられており、キー操作に応じてキーボード２８から出力されるキー信号がキーボードコントローラ３４で入力処理されるようになっている。
【００２２】
スキャナ２９は、バーコードをスキャニング入力するもので、前記商品コード入力手段及び伝票番号入力手段として機能する。このスキャナ２９に対応してスキャナコントローラ３５が設けられており、スキャニングされたバーコードデータが当該スキャナコントローラ３５で入力処理されるようになっている。
【００２３】
オペレータ用ディスプレイ３０は、１商取引の登録画面等を表示するもので、キャッシャと称されるオペレータに対する表示部として機能する。このオペレータ用ディスプレイ３０に対応して表示コントローラ３６が設けられており、この表示コントローラ３６によりオペレータ用ディスプレイ３０の画面表示が制御される。因みに、登録画面には、１商取引で販売される商品の品名，単価，数量，金額や、その合計金額等が一覧表示されるようになっている。
【００２４】
客用ディスプレイ３１は、買物客に対して上記登録画面等を表示するものである。この客用ディスプレイ３１に対応して表示コントローラ３７が設けられており、この表示コントローラ３７により客用ディスプレイ３１の画面表示が制御される。
【００２５】
プリンタ３２は、上記商品販売データを含む商取引の明細等をレシート用紙に印字しレシートを発行するもので、レシート発行手段を構成する。このプリンタ３２に対応してプリンタコントローラ３８が設けられており、このプリンタコントローラ３８によりプリンタ３２の印字動作が制御される。
【００２６】
前記Ｉ／Ｏポート３３と各入出力機器のコントローラ３４，３５，３６，３７，３８は、いずれも前記バスライン２６に接続されており、このバスライン２６を介してＣＰＵ２１とデータの授受を行うようになっている。
【００２７】
かかる構成のＰＯＳ端末１は、前記発送登録手段１３を実現するために、図５に示すように、トランザクションバッファ５１，店舗コードメモリ５２，取引日時メモリ５３，取引番号カウンタ５４，発送データメモリ５５及びフラグメモリ５６をＲＡＭ２３に形成している。
【００２８】
店舗コードメモリ５２は、当該ＰＯＳ端末１が設置されている店舗に対して予め設定されている店舗コードの設定エリアである。取引日時メモリ５３は、商取引が実施される毎にその実施日付及び時刻の取引日時データを記憶するエリアである。取引番号カウンタ５４は、商取引が実施される毎にカウントアップするエリアであり、このカウント値が１商取引の取引番号として使用される。発送データメモリ５５は、後述する発送キー処理で入力される発送伝票問合せ番号，宅配業者コード及びお届け指定日の発送データを記憶するエリアであり、伝票番号記憶手段を構成する。フラグメモリ５６は、１商取引の商品登録中に“１”にセットされる商品登録中フラグ、発送登録中に“１”にセットされる発送登録中フラグ、発送登録があった商取引に対して“１”にセットされる発送登録済フラグ、発送明細レシートの印字開始時に“１”にセットされる印字開始フラグの各種フラグデータを記憶するエリアである。
【００２９】
トランザクションバッファ５１は、１商取引で売買される各商品の商品登録トランザクションデータを蓄積記憶するエリアである。商品登録トランザクションデータは、当該商取引で売買された商品の商品コード，商品名，単価，数量及び金額の商品販売データと、発送伝票問合せ番号，宅配業者コード及びお届け指定日の発送データとからなる。ただし、発送登録でない通常登録の商品に対する商品登録トランザクションデータは、発送データの項目が全て“０”となる。ここに、トランザクションバッファ５１は商取引データ記憶手段を構成する。
【００３０】
また当該ＰＯＳ端末１は、前記発送登録手段１３を実現するために、ＣＰＵ２１が図６乃至図９の流れ図に示す各処理を実行するように、ＲＯＭ２２のプログラムを構成している。
【００３１】
図６は発送キー処理の要部手順を示す流れ図であり、ＣＰＵ２１は、キーボードコントローラ３４を介して発送キー４８の入力を検知すると、この処理を開始する。先ず、ＳＴ（ステップ）１として発送登録中か否かを判断する。ここで、フラグメモリ５６の発送登録中フラグが“０”にリセットされていた場合には、発送登録モードの実行が宣言されたので、ＣＰＵ２１は、ＳＴ２として図１０に示す如く、オペレータ用ディスプレイ３０の登録画面６１上に発送ダイアログ６２を表示させる。この発送ダイアログ６２には、発送伝票４の発送伝票問合せ番号欄６２１と、お届け指定日入力欄６２２と、宅配業者選択欄６２３とが形成されており、ＣＰＵ２１は、ＳＴ３として発送伝票４の問合せ番号とお届け指定日と宅配業者が入力されるのを以下の手順で待機する。
【００３２】
先ず、問合せ番号が入力されるのを待機する。そして、伝票番号入力手段１２により発送伝票４の伝票番号が入力されたならば、この伝票番号を発送伝票問合せ番号欄６２１に表示させる。次に、お届け指定日が入力されるのを待機する。ここで、例えば置数キー４１によりお届け指定日の年月日が置数入力されたならば、その年月日データをお届け指定日入力欄６２２に表示させる。また、クリアキー４６が入力された場合には、お届け指定日の入力を省略する。最後に、宅配業者が選択されるのを待機する。ここで、例えば置数キー４１によりいずれかの宅配業者（例えば“１”＝Ａ社、“２”＝Ｂ社、“３”＝Ｃ社、“４”＝その他）が選択されたならば、ＣＰＵ２１は、ＳＴ４として少なくとも問合せ番号と必須業者の必須情報が入力されたので、ＳＴ５として発送データメモリ５５の発送データを今回の入力データに更新する。すなわち、発送伝票問合せ番号として、発送伝票問合せ番号欄６２１に入力された伝票番号をセットする。また、宅配業者コードとして、宅配業者選択欄６２３で選択された宅配業者に対して予め設定されている宅配業者コードをセットする。また、お届け指定日として、お届け指定日入力欄６２２に入力された年月日データをセットする。なお、年月日データの入力が省略された場合には、“０”をセットする。
【００３３】
しかる後、ＣＰＵ２１は、ＳＴ６として発送登録中フラグを“１”にセットする。また、ＳＴ７として発送ダイアログ６２を消去する。さらに、ＳＴ８としてオペレータ用ディスプレイ３０及び客用ディスプレイ３１の画面を登録画面６１から図１１に示すレイアウトの発送登録画面６３に変更して、この発送キー処理を終了する。
【００３４】
因みに、発送登録画面６３には、商品販売データ（商品名，単価，数量，金額）の明細表示欄６３１の他、発送データメモリ５５に記憶されている発送伝票問合せ番号とお届け指定日と宅配業者コードに対応した宅配業者名を表示するための欄６３２が形成されている。
【００３５】
なお、ＳＴ３の発送ダイアログ６２への入力待機状態において、宅配業者が選択される前に取消キー４７が操作されたことを検知した場合には、ＣＰＵ２１は、ＳＴ９として入力取消が指示されたと判断する。そして、ＳＴ１０として発送ダイアログ６２を消去したならば、この発送キー処理を終了する。したがって、この場合は、オペレータ用ディスプレイ３０及び客用ディスプレイ３１には通常の登録画面６１が表示される。
【００３６】
一方、ＳＴ１にて発送登録中フラグが“１”にセットされていた場合には、発送登録モードの解除が宣言されたので、ＣＰＵ２１は、ＳＴ１１として発送登録中フラグを“０”にリセットする。また、オペレータ用ディスプレイ３０及び客用ディスプレイ３１の画面を発送登録画面６３から通常の登録画面６１に変更して、この発送キー処理を終了する。
【００３７】
図７は商品登録処理の要部手順を示す流れ図であり、ＣＰＵ２１は、商品コード入力手段１１により商品コードが入力されたならば、この処理を開始する。先ず、ＳＴ２１として商品登録中か否かを判断する。ここで、フラグメモリ５６の商品登録中フラグが“０”にリセットされていた場合には、１商取引の１点目の商品登録が行われ、商品登録中で無いので、ＳＴ２２としてトランザクションバッファ５１をクリアし、このトランザクションバッファ５１の番号カウンタＮを“０”にリセットする。また、ＳＴ２３として商品登録中フラグを“１”にセットする。これに対し、ＳＴ２１にて商品登録中フラグが既に“１”にセットされていた場合には、１商取引の２点目以降の商品登録であり商品登録中なので、上記ＳＴ２２，ＳＴ２３の処理は行わない。
【００３８】
次に、ＣＰＵ２１は、ＳＴ２４として入力された商品コードに基づいて商品販売データを作成する。すなわち、各商品の商品コードに対応して品名，単価等の商品データがプリセットされた商品データファイルを検索して、入力された商品コードに対応する商品データを読み込む。そして、単価に数量（置数キー４１と乗算キー４３とにより乗数が入力されている場合にはその乗数，乗数が入力されていない場合には１）を乗算して金額を算出し、商品コード，品名，単価，数量及び金額の商品販売データを作成する（商品販売データ処理手段）。そして、ＳＴ２５としてこの商品販売データをオペレータ用ディスプレイ３０及び客用ディスプレイ３１に表示されている登録画面６１の明細表示欄６１１（図９を参照）あるいは発送登録画面６３の明細表示欄６３１に表示させる。
【００３９】
次に、ＣＰＵ２１は、ＳＴ２６としてトランザクションバッファ５１の番号カウンタＮを“１”だけカウントアップした後、ＳＴ２７として発送登録中か否かを判断する。ここで、フラグメモリ５６の発送登録中フラグが“０”にリセットされていた場合には、発送登録中でないので、ＣＰＵ２１は、ＳＴ２８としてこの商品販売データだけからなる通常の商品登録トランザクションデータ（発送データ＝０）をトランザクションバッファ５１の番号Ｎ（Ｎは番号カウンタの値）のエリアに登録して、この商品登録処理を終了する。
【００４０】
これに対し、発送登録中フラグが“１”にセットされていた場合には、発送登録中なので、ＣＰＵ２１は、ＳＴ２９として発送データメモリ５５に記憶されている発送データを読出し、この発送データを当該商品販売データに付加した発送データ付商品登録トランザクションデータを作成して、トランザクションバッファ５１の番号Ｎ（Ｎは番号カウンタの値）のエリアに登録する（宅配商品販売データ処理手段）。
【００４１】
しかる後、ＣＰＵ２１は、ＳＴ３０として発送登録済か否かを判断する。そして、フラグメモリ５６の発送登録済フラグが“０”にリセットされていた場合には、ＳＴ３１として当該発送登録済フラグを“１”にセットする。以上で、この商品登録処理を終了する。
【００４２】
図８は締めキー入力処理の要部手順を示す流れ図であり、ＣＰＵ２１は、キーボードコントローラ３４を介して預／現計キー４５の入力を検知すると、この処理を開始する。先ず、ＳＴ４１として商品登録中であることを確認する。すなわち、フラグメモリ５６の商品登録中フラグが“１”にセットされているか否かを判断し、セットされていたならば商品登録中なので、ＣＰＵ２１は、次に、ＳＴ４２として発送登録中か否かを判断する。ここで、フラグメモリ５６の発送登録中フラグが“１”にセットされていた場合には発送登録中であり、オペレータ用ディスプレイ３０及び客用ディスプレイ３１に発送登録画面６３が表示されているので、ＣＰＵ２１は、ＳＴ４３として表示画面を通常の登録画面６１に戻す。そして、ＳＴ４４として発送登録中フラグを“０”にリセットする。ＳＴ４２にて発送登録中フラグが“０”にリセットされていた場合には、発送登録中でないので、上記ＳＴ４３，ＳＴ４４の処理は実行しない。
【００４３】
次に、ＣＰＵ２１は、締めキー（預／現計キー４５）の入力により１商取引の締めが宣言されたので、ＳＴ４５として取引番号カウンタ５４のカウント値を“１”だけカウントアップする。また、ＳＴ４６として時計部２４にて計時されている現在の日付及び時刻を読出し、取引日時メモリ５３に書き込む。
【００４４】
しかる後、ＣＰＵ２１は、ＳＴ４７として登録締め処理を実行する。すなわち、トランザクションバッファ５１に記憶された商品登録トランザクションデータに基づいて、当該１商取引で売買された商品の販売データを売上処理する。また、当該１商取引の合計金額を預かり金額から合計金額を減額して釣銭額を算出する。
【００４５】
この登録締め処理を終了すると、ＣＰＵ２１は、ＳＴ４８として合計金額，預かり金額，釣銭額等の登録締めデータを、登録画面６１の明細表示欄６１１に表示させる。また、ＳＴ４９としてトランザクションバッファ５１に記憶された商品登録トランザクションデータや登録締めデータに基づいてレシート印字データを編集し、プリンタ３２に出力して、客買上レシートを印字発行させる。さらに、ＳＴ５０としてドロワ２７を開放動作させる。
【００４６】
その後、ＣＰＵ２１は、ＳＴ５１として発送登録済か否か、つまりは当該１商取引の中で発送登録が行われたか否かを判断する。ここで、フラグメモリ５６の発送登録済フラグが“１”にセットされていた場合には、発送登録が行われたので、ＣＰＵ２１は、ＳＴ５１として後述する発送登録データ処理を実行する。そして、この発送登録データ処理を終了すると、ＳＴ５２として発送登録済フラグを“０”にリセットし、かつＳＴ５３として商品登録中フラグを“０”にリセットして、この締めキー入力処理を終了する。
【００４７】
一方、ＳＴ５１にて発送登録済フラグが“０”にリセットされていた場合には、発送登録が行われなかったので、ＣＰＵ２１は、ＳＴ５２及びＳＴ５３の処理を実行しない。そして、ＳＴ５３として商品登録中フラグを“０”にリセットしたならば、この締めキー入力処理を終了する。
【００４８】
図９は前記発送登録データ処理の要部手順を示す流れ図である。すなわちＣＰＵ２１は、前記締めキー入力処理において、ＳＴ５２の発送登録データ処理を開始すると、先ず、ＳＴ６１としてトランザクションバッファ５１の番号カウンタＮを“０”に初期化する。次に、ＳＴ６２としてその番号カウンタＮを“１”だけカウントアップした後、ＳＴ６３としてトランザクションバッファ５１から番号Ｎ（Ｎは番号カウンタの値）のエリアに格納されている商品登録トランザクションデータを取得する。
【００４９】
ここで、ＳＴ６４としてトランザクションバッファ５１の番号Ｎのエリアから商品登録トランザクションデータを取得できたならば、ＣＰＵ２１は、ＳＴ６５としてその商品登録トランザクションデータが発送データ付きのデータか否かを判断する。そして、発送データ項目が全て“０”の商品登録トランザクションデータであった場合には、発送データ付きでないので、ＣＰＵ２１は、ＳＴ６２の処理に戻り、番号カウンタＮをさらに“１”だけカウントアップして、トランザクションバッファ５１から番号Ｎのエリアに格納されている商品登録トランザクションデータを取得する。
【００５０】
こうして、ＣＰＵ２１は、トランザクションバッファ５１に格納されている商品登録トランザクションデータを番号順に取得する。そして、発送登録モード選択時に処理された発送データ付の商品登録トランザクションデータを取得したならば（宅配商品販売データ抽出手段）、ＣＰＵ２１は、ＳＴ６６としてその発送データ付商品登録トランザクションデータに基づいて、図２に示すデータ項目の発送登録データを作成する。そして、ＳＴ６７として発送登録データをＲＡＭ２３上に確保した送信ファイルにセットする（宅配商品販売データ保持手段）。なお、発送登録データの発送フラグは“０”とする。因みに、発送フラグを管理サーバ６で付すものとし、この時点では省略してもよい。
【００５１】
次に、ＣＰＵ２１は、ＳＴ６８としてフラグメモリ５６の印字開始フラグをチェックする。ここで、印字開始フラグが“０”にリセットされていた場合には、当該商取引において発送明細レシートの印字がまだ開始されていないので、ＣＰＵ２１は、ＳＴ６９として印字開始フラグを“１”にセットした後、ＳＴ７０として発送明細レシートのヘッダデータ（取引日時，ＰＯＳ端末番号，タイトル等）と、番号Ｎの商品登録トランザクションデータにおける発送伝票問合せ番号，宅配業者コードに対応した宅配業者名及びお届け指定日の発送先情報を、プリンタ３２によりレシート用紙に印字させる。さらに、ＳＴ７１としてこの番号Ｎの商品登録トランザクションデータにおける商品コード，品名，金額等の発送商品明細情報を、同じくプリンタ３２によりレシート用紙に印字させる。その後、ＳＴ６２の処理に戻り、番号カウンタＮをさらに“１”だけカウントアップして、トランザクションバッファ５１から番号Ｎのエリアに格納されている商品登録トランザクションデータを取得する処理を繰り返す。
【００５２】
一方、ＳＴ６８にて印字開始フラグが“１”にセットされていた場合には、当該商取引において発送明細レシートの印字を既に開始しているので、ＣＰＵ２１は、ＳＴ７２としてトランザクションバッファ５１の番号（Ｎ−１）のエリアに格納されている商品登録トランザクションデータが発送データ付のデータか否かを判断する。ここで、番号（Ｎ−１）の商品登録トランザクションデータが発送データ付のデータであった場合には，ＣＰＵ２１は、ＳＴ７３として番号Ｎの商品登録トランザクションデータと番号（Ｎ−１）の商品登録トランザクションデータの発送伝票問合せ番号を照合する。そして、両トランザクションデータの発送伝票問合せ番号が一致する場合には、ＳＴ７１の処理に進み、番号Ｎの商品登録トランザクションデータにおける商品コード，品名，金額等の発送商品明細情報を、プリンタ３２によりレシート用紙に印字させる。その後、ＳＴ６２の処理に戻り、番号カウンタＮをさらに“１”だけカウントアップして、トランザクションバッファ５１から番号Ｎのエリアに格納されている商品登録トランザクションデータを取得する処理を繰り返す。
【００５３】
これに対し、ＳＴ７２にて番号（Ｎ−１）の商品登録トランザクションデータが発送データ付きのデータでなかった場合、あるいはＳＴ７３にて番号Ｎの商品登録トランザクションデータと番号（Ｎ−１）の商品登録トランザクションデータの発送伝票問合せ番号が一致しなかった場合には、番号Ｎの商品登録トランザクションデータは現在印字中の発送明細レシートのデータとは発送先情報が異なる発送データ付きの商品登録トランザクションデータなので、ＣＰＵ２１は、ＳＴ７４としてプリンタ３２にレシート発行を指示して、現在印字中の発送明細レシートを発行させる（店控えレシート発行手段）。しかる後、ＳＴ７０に進み、発送明細レシートのヘッダデータと、番号Ｎの商品登録トランザクションデータにおける発送伝票問合せ番号，宅配業者コードに対応した宅配業者名及びお届け指定日の発送先情報を、プリンタ３２によりレシート用紙に印字させる。さらに、この番号Ｎの商品登録トランザクションデータにおける商品コード，品名，金額等の発送商品明細情報を、同じくプリンタ３２によりレシート用紙に印字させたならば、ＳＴ６２の処理に戻り、番号カウンタＮをさらに“１”だけカウントアップして、トランザクションバッファ５１から番号Ｎのエリアに格納されている商品登録トランザクションデータを取得する処理を繰り返す。
【００５４】
かくして、ＳＴ６４にてトランザクションバッファ５１の番号Ｎのエリアから商品登録トランザクションデータを取得できなかったことを検知した場合には、当該１商取引の商品登録トランザクションデータに対する発送登録データ処理が終了したので、ＣＰＵ２１は、ＳＴ７５としてプリンタ３２にレシート発行を指示して、印字中の発送明細レシートを発行させる（店控えレシート発行手段）。また、ＳＴ７６として印字開始フラグを“０”にリセットする。しかる後、ＳＴ７７として通信コントローラ２５を制御して送信ファイルのデータを発送管理サーバ６に送信出力したならば（宅配商品販売データ送信手段）、この発送登録データ処理を終了する。
【００５５】
かかる構成のＰＯＳ端末１が稼動している小売店において、今、贈答用商品「ＡＡＡＡ」を３点購入し、そのうち２点を異なる配送先への宅配を依頼し、残りの１点を持ち帰る客が会計を申し出たとする。この場合、客は、持帰り用の商品「ＡＡＡＡ」１点と当該商品に対応した商品札２枚をもってレジへ行く。
【００５６】
一方、会計担当の店員は、この客の申し出に対して宅配業者が指定する発送伝票４を２枚用意し、客に渡して発送人や受取人の住所，氏名等の必要事項を記入してもらう。そして、記入を終えたならば、店員はＰＯＳ端末１の発送キー４８を押下して発送登録モードを選択する。そうすると、オペレータ用ディスプレイ３０に発送ダイアログ６２が表示されるので、１枚目の発送伝票４に印刷されている伝票番号のバーコードをスキャナ２９でスキャニングして発送伝票問合せ番号を入力する。また、客からこの１枚目の発送伝票に記入されている受取人へのお届け日を指定するか否かを確認する。そして、指定する場合には、その指定日を置数キー４１で入力する。指定しない場合には、クリアキー４６を押下する。しかる後、発送ダイアログ６２から該当する宅配業者を選択する。
【００５７】
今、１枚目の発送伝票４の伝票番号が「０１２３４５６７８９０１２」であり、お届け指定日が２００４年９月１５日であり、宅配業者がＡ社であるとすると、オペレータ用ディスプレイ３０及び客用ディスプレイ３１の画面が図１１に示す内容の発送登録画面６３に切り換わる。そこで店員は、商品札３に印刷されている商品コードのバーコードをスキャナ２９でスキャニングして商品登録を行う。これにより、トランザクションバッファ５１の番号１のエリアに、商品ＡＡＡＡの商品販売データに伝票番号「０１２３４５６７８９０１２」の発注データが付加された発注データ付商品登録トランザクションデータが格納される。また、品名「商品ＡＡＡＡ」，単価（１０００円），数量（１点），金額（１０００円）が発送登録画面６３の明細表示欄６３１に表示される。
【００５８】
次に、店員は、発送キー４８を押下して発送登録モードを一旦解除した後、再度発送キー４８を押下して発送登録モードを選択する。そうすると、オペレータ用ディスプレイ３０に発送ダイアログ６２が表示されるので、２枚目の発送伝票４に印刷されている伝票番号のバーコードをスキャナ２９でスキャニングして発送伝票問合せ番号を入力する。また、客からこの２枚目の発送伝票に記入されている受取人へのお届け日を指定するか否かを確認する。そして、指定する場合には、その指定日を置数キー４１で入力する。指定しない場合には、クリアキー４６を押下する。しかる後、発送ダイアログ６２から該当する宅配業者を選択する。
【００５９】
今、２枚目の発送伝票４の伝票番号が「０１２３４５６７８９０１３」であり、お届け指定日が２００４年９月１６日であり、宅配業者がＡ社であるとすると、オペレータ用ディスプレイ３０及び客用ディスプレイ３１の画面が前回と欄６３２の内容が異なる発送登録画面６３に切り換わる。そこで店員は、商品札３に印刷されている商品コードのバーコードをスキャナ２９でスキャニングして商品登録を行う。これにより、トランザクションバッファ５１の番号２のエリアに、商品ＡＡＡＡの商品販売データに伝票番号「０１２３４５６７８９０１３」の発注データが付加された発注データ付商品登録トランザクションデータが格納される。また、品名（商品ＡＡＡＡ），単価（１０００円），数量（１点），金額（１０００円）が発送登録画面６３の明細表示欄６３１に表示される。
【００６０】
次に、店員は、発送キー４８を押下して発送登録モードを解除する。そうすると、オペレータ用ディスプレイ３０及び客用ディスプレイ３１の画面が通常の登録画面６１となる。この登録画面６１の明細表示欄６３１には、既に処理した２品目分の品名（商品ＡＡＡＡ），単価（１０００円），数量（２点），金額（２０００円）が表示されている。そこで店員は、商品２に付されている商品コードのバーコードスキャナ２９でスキャニングして商品登録を行う。これにより、トランザクションバッファ５１の番号３のエリアに、商品ＡＡＡＡの商品販売データからなる通常の商品登録トランザクションデータが格納される。また、明細表示欄６３１のデータが品名（商品ＡＡＡＡ），単価（１０００円），数量（３点），金額（３０００円）となる。
【００６１】
その後、店員は、預／現計キー４５を押下して１商取引の締めを宣言する。そうすると、プリンタ３２が駆動して、図１２に示す内容の買上レシート７１が印字発行される。すなわち、発送データ付き商品登録トランザクションデータについては、商品販売データに発送データ中の発送伝票問合せ番号，宅配業者名及びお届け指定日のデータが関連付けられて印字された買上げレシート７１が発行される。そこで、この買上レシート７１を客に渡して、当該客との商取引を終了する。
【００６２】
このとき、ＰＯＳ端末１においては、発送登録済フラグがセットされているので、発送登録データ処理が実行される。先ず、番号１の商品登録トランザクションデータは発送データ付きのデータなので、この発送データ付き商品登録トランザクションデータに基づいて発送登録データが作成され、送信ファイルに保持される。このとき、印字開始フラグはリセットされているので、プリンタ３２が駆動して、発送明細レシートのヘッダ情報と番号１の商品登録トランザクションデータに該当する発送先情報及び発送商品明細情報がレシート用紙に印字される。
【００６３】
次いで、番号２の商品登録トランザクションデータは発送データ付きのデータなので、この発送データ付き商品登録トランザクションデータに基づいて発送登録データが作成され、送信ファイルに保持される。このとき、印字開始フラグはセットされており、番号１の商品登録トランザクションデータは発送データ付きであるので、この番号１の商品登録トランザクションデータの発送伝票問合せ番号と番号２の商品登録トランザクションデータの発送伝票問合せ番号とが照合される。この場合、両番号は不一致なので、プリンタ３２が駆動して、図１３（ａ）に示す内容の１枚目の発送明細レシート７２が発行される。続いて、発送明細レシートのヘッダ情報と番号２の商品登録トランザクションデータに該当する発送先情報及び発送商品明細情報がレシート用紙に印字される。
【００６４】
次いで、番号３の商品登録トランザクションデータは発送データ付きのデータでなく、番号４の商品登録トランザクションデータは存在しないので、プリンタ３２が駆動して、図１３（ｂ）に示す内容の２枚目の発送明細レシート７２が発行される。また、送信ファイルのデータがオンライン接続された発送管理サーバ６に転送され、発送ファイル７にて保管される。
【００６５】
このように本実施の形態においては、１商取引の中で発送キー４８の操作により発送登録モードを選択することによって、発送伝票４の伝票番号（発送伝票問合せ番号）とお届け指定日と宅配業者コードの発送データを登録することができる。そして、この発送登録モードにおいて客が購入する商品の商品コードを入力することにより、この商品の商品販売データに発送データが付加された発送データ付き商品登録トランザクションデータが作成され、トランザクションバッファ５１に格納される。その後、預／現計キー４５を操作して１商取引の締めを宣言すると、トランザクションバッファ５１に格納されている１商取引の商品登録トランザクションデータ群のなかから発送データ付きの商品登録トランザクションデータが抽出され、発送登録データとして保持される。この発送登録データは、送信ファイル上で一時的に保持され、オンライン接続された発送管理サーバ６に送信されて、発送ファイル７にて保管される。
【００６６】
したがって、例えばクライアントＰＣを用いて発送ファイル７にて保管されている発送登録データを閲覧することによって、発送伝票４とその発送伝票４で配送される商品２との関連付けを容易になし得ることができる。その結果、宅配業者でなくとも顧客から宅配を依頼した商品の問合せがあった際に迅速に対応できるので、顧客の不満を解消でき、顧客からの信頼が得られるようになる。
【００６７】
また、本実施の形態においては、１商取引の中で、発送キー４８の操作を繰り返すことによって、発送登録モードの選択と解除を何度もできるようになっている。したがって、１商取引の中で複数の宅配注文があった商品を処理できる上、持ち帰る商品も混在して処理できるので、例えば配送先が異なる場合やお届け指定日が異なる場合も１商取引としてまとめて処理することができ、効率的である。
【００６８】
また、本実施の形態においては、発送伝票４毎に店控え用の発送明細レシート７２，７３が発行される。この発送明細レシート７２，７３には、発送伝票４の問合せ番号や発送業者名と関連付けられて、発送された商品の販売データが印字されている。したがって、クライアントＰＣを用いなくとも発送明細レシート７２，７３をチェックすることによって、顧客からの問合せに対応できる効果を奏する。
【００６９】
また、本実施の形態においては、宅配サービスを利用した顧客に対して発行される買上レシート７１には、発送伝票４の伝票番号と関連付けられてその伝票４で発送される商品の販売データが印字されている。したがって、買上レシート７１を確認することによって、宅配注文をした商品とその商品に付されている発送伝票４との関連付けを顧客自身で容易に行うことができる。
【００７０】
なお、この発明は前記実施形態そのままに限定されるものではなく、実施段階ではその要旨を逸脱しない範囲で構成要素を変形して具体化できる。
【００７１】
例えば、前記実施形態では、発送ダイアログ６２で入力可能なデータを伝票番号とお届け指定日と宅配業者コードとしたが、店舗と契約している宅配業者が１社の場合には宅配業者コードの入力を省略することができる。また、配送日を指定できない場合には、お届け指定日の入力も省略可能である。
【００７２】
また、前記実施形態では、発送伝票４毎に店控え用の発送明細レシート７２，７３を別々に発行したが、１枚のレシートとして連続してデータを印字し、後で切断するようにしてもよい。
【００７３】
また、前記実施形態では、モード選択手段として発送キー４８を示したが、キー以外の入力手段、例えばタッチパネル，バーコードスキャナ等を使用して発送登録モードを選択するようにしてもよい。
【００７４】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【符号の説明】
【００７５】
１…ＰＯＳ端末、３…商品札、４…発送伝票、６…発送管理サーバ、７…発送ファイル、１１…商品コード入力手段、１２…伝票番号入力手段、１３…発送登録手段、４８…発送キー、５１…トランザクションバッファ、６２…発送ダイアログ、６３…発送登録画面、７１…買上レシート、７２，７３…発送明細レシート。
【図１】
2010218581.tif 000003
【図２】
2010218581.tif 000004
【図３】
2010218581.tif 000005
【図４】
2010218581.tif 000006
【図５】
2010218581.tif 000007
【図６】
2010218581.tif 000008
【図７】
2010218581.tif 000009
【図８】
2010218581.tif 000010
【図９】
2010218581.tif 000011
【図１０】
2010218581.tif 000012
【図１１】
2010218581.tif 000013
【図１２】
2010218581.tif 000014
【図１３】
2010218581.tif 000015
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
商品毎に設定される商品コードを入力するための商品コード入力手段と、
この商品コード入力手段を介して入力された商品コードに基づいて当該商品コードが設定された商品の品名と金額とを含む商品販売データを作成する商品販売データ作成手段と、
１商取引として売買される商品の販売データを記憶する商取引データ記憶手段と、
商品宅配時に使用される発送伝票の伝票番号を入力するための伝票番号入力手段と、
宅配注文のあった商品を発送処理するための発送登録モードを選択するモード選択手段と、
前記伝票番号入力手段を介して入力された伝票番号を記憶する伝票番号記憶手段と、
前記商品コード入力手段を介して商品コードが入力される毎に前記発送登録モードが選択されているか否かを判断し、選択されていないと判断した場合にはその入力された商品コードに基づいて作成された前記商品販売データを前記商取引データ記憶手段に記憶させ、選択されていると判断した場合にはその入力された商品コードに基づいて作成された前記商品販売データに前記伝票番号記憶手段に記憶された伝票番号を対応付けて前記商取引データ記憶手段に記憶させる商品販売データ登録手段と、
１商取引の締めを宣言するための締め宣言手段と、
この締め宣言手段により１商取引の締めが宣言されると前記商取引データ記憶手段に記憶されている商品販売データに基づいてレシートを印字し発行するレシート発行手段と、
前記締め宣言手段により１商取引の締めが宣言されると前記商取引データ記憶手段から前記伝票番号と対応付けられて記憶されている商品販売データを抽出する宅配商品販売データ抽出手段と、
この宅配商品販売データ抽出手段により抽出された前記伝票番号と対応付けられた商品販売データをオンライン接続された管理サーバに送信する宅配商品販売データ送信手段と、
を具備したことを特徴とする商品販売データ処理装置。
【請求項２】
前記レシート発行手段は、前記伝票番号が対応付けられていない商品販売データについてはそのデータ中の商品名と金額を印字し、前記伝票番号が対応付けられている商品販売データについてはそのデータ中の商品名と金額に伝票番号を印字したレシートを発行することを特徴とする請求項１記載の商品販売データ処理装置。
【請求項３】
前記宅配商品販売データ抽出手段により前記伝票番号と対応付けられた商品販売データが抽出されると、前記レシート発行手段を動作させて、前記伝票番号とそれに対応する商品販売データ中の商品名と金額とが印字された店控えレシートを発行させる店控えレシート発行手段、
をさらに具備したことを特徴とする請求項１または２記載の商品販売データ処理装置。
【請求項４】
前記店控えレシート発行手段は、伝票番号別に分けて店控えレシートを発行させることを特徴とする請求項３記載の商品販売データ処理装置。
【手続補正２】
【補正対象書類名】明細書
【補正対象項目名】００１２
【補正方法】変更
【補正の内容】
【００１２】
本発明の商品販売データ処理装置は、商品毎に設定される商品コードを入力するための商品コード入力手段と、この商品コード入力手段を介して入力された商品コードに基づいて当該商品コードが設定された商品の品名と金額とを含む商品販売データを作成する商品販売データ作成手段と、１商取引として売買される商品の販売データを記憶する商取引データ記憶手段と、商品宅配時に使用される発送伝票の伝票番号を入力するための伝票番号入力手段と、宅配注文のあった商品を発送処理するための発送登録モードを選択するモード選択手段と、前記伝票番号入力手段を介して入力された伝票番号を記憶する伝票番号記憶手段と、商品コード入力手段を介して商品コードが入力される毎に発送登録モードが選択されているか否かを判断し、選択されていないと判断した場合にはその入力された商品コードに基づいて作成された商品販売データを商取引データ記憶手段に記憶させ、選択されていると判断した場合にはその入力された商品コードに基づいて作成された商品販売データに伝票番号記憶手段に記憶された伝票番号を対応付けて商取引データ記憶手段に記憶させる商品販売データ登録手段と、１商取引の締めを宣言するための締め宣言手段と、この締め宣言手段により１商取引の締めが宣言されると商取引データ記憶手段に記憶されている商品販売データに基づいてレシートを印字し発行するレシート発行手段と、前記締め宣言手段により１商取引の締めが宣言されると商取引データ記憶手段から伝票番号と対応付けられて記憶されている商品販売データを抽出する宅配商品販売データ抽出手段と、この宅配商品販売データ抽出手段により抽出された伝票番号と対応付けられた商品販売データをオンライン接続された管理サーバに送信する宅配商品販売データ送信手段とを備えたものである。